(57)【要約】      （修正有）【課題】高周波帯域において特性劣化を生じることのない巻線型インダクタを提供する。【解決手段】誘電体セラミックや、フェライト等の磁性材料より成る円錐状のコア18の巻線部20外周面に、銅線12の表面に絶縁被膜14を形成して成る導線16を巻回し、また、上記導線16の両端に上記銅線12を露出させて形成した接続端子22を設けると共に、該接続端子22の先端を導体接触部22ａと成した巻線型インダクタであって、コア18の巻線部20に巻回された導線16のコア18小径側の先端部から上記導体接触部22ａに至る迄の導線16及び接続端子22の長さが０．４mm〜０．６mmの範囲に設定されている。【選択図】図１
0003122320.tif 000002
【実用新案登録請求の範囲】
【請求項１】
円錐状又は角錐状と成された巻線部を有するコアの巻線部外周面に、導電性線材の表面に絶縁被膜を形成して成る導線を巻回し、また、上記導線の両端に上記導電性線材を露出させて形成した接続端子を設けると共に、該接続端子の先端を導体接触部と成した巻線型インダクタであって、コアの巻線部に巻回された導線のコア小径側の先端部から上記導体接触部に至る迄の導線及び接続端子の長さが０．４mm〜０．６mmの範囲に設定されていることを特徴とする巻線型インダクタ。
【請求項２】
上記コアが磁性材料で構成されていることを特徴とする請求項１に記載の巻線型インダクタ。
【考案の詳細な説明】
【技術分野】
【０００１】
この考案は、チョークコイル等として使用される巻線型インダクタに係り、特に、広帯域特性に優れた巻線型インダクタに関する。
【背景技術】
【０００２】
広帯域特性に優れた巻線型インダクタとして、出願人は、先に、特開２００４−６６９５号を提案した。
図８乃至図１０に示すように、この巻線型インダクタ60は、銅線62の表面にポリエステル、ポリウレタン等の高分子絶縁材料より成る絶縁被膜64を形成した導線66を、誘電体セラミックや、フェライト等の磁性材料より成る円錐状のコア68の巻線部70外周面に巻回して成る。
また、導線66の両端は、上記絶縁被膜64を剥離して銅線62を露出させることにより、端子部72と成されている。
【０００３】
上記巻線型インダクタ60は、図８に示すように、銅線62を露出して形成した上記端子部72の先端72ａを、回路基板に形成された高周波信号を伝送するマイクロストリップラインを構成する導体パターン74にハンダ76を介して直接接続して使用される。
【０００４】
この巻線型インダクタ60は、コア68の巻線部70が、その一端（図８の右端）から他端（図５の左端）に向かって徐々に直径が小さくなっていく円錐状と成されているので、該巻線部70に巻回された導線66の巻線径も、一端（図８の右端）から他端（図８の左端）に向かって徐々に小さくなっていく。
【０００５】
このように、上記巻線型インダクタ60においては、巻線部70に巻回された導線66の巻線径が、一端（図８の右端）から他端（図８の左端）に向かって徐々に小さくなっていくことから、図１１のグラフに示す通り、広い周波数帯域に亘って連続的に多数の異なる自己共振周波数を持つこととなり、従って、単一の巻線型インダクタ60でありながら、広帯域において使用することができるのである。
【特許文献１】特開２００４−６６９５号
【考案の開示】
【考案が解決しようとする課題】
【０００６】
ところで、上記巻線型インダクタ60のコア68の巻線部70に巻回された導線66のコア68小径側の先端部から、導体パターン74に直接接続された端子部先端72ａに至る迄の導線66及び端子部72の長さＬが小さいと、２０ＧＨｚ以上の高周波帯域において巻線型インダクタ60に特性劣化を生じてしまう。これは、コア68の巻線部70に巻回された導線66のコア68小径側の先端部から、導体パターン74に直接接続された端子部先端72ａに至る迄の導線66及び端子部72の長さＬが小さすぎると、導線66のコア68小径側の先端部と導体パターン74間の静電容量が増加するため、高周波帯域においてインピーダンスが低下することに起因するものであると考えられる。
また、コア68の巻線部70に巻回された導線66のコア68小径側の先端部から、導体パターン74に直接接続された端子部先端72ａに至る迄の導線66及び端子部72の長さＬの長さが大きい場合にも、高周波帯域において巻線型インダクタ60の特性劣化を生じていた。その理由は、マイクロストリップラインを構成する導体パターン74の特性インピーダンスが乱されるためと考えられる。
【０００７】
本考案は、従来の上記問題点に鑑みて案出されたものであり、その目的とするところは、高周波帯域において特性劣化を生じることのない巻線型インダクタを実現することにある。
【課題を解決するための手段】
【０００８】
上記の目的を達成するために、本考案に係る巻線型インダクタにあっては、円錐状又は角錐状と成された巻線部を有するコアの巻線部外周面に、導電性線材の表面に絶縁被膜を形成して成る導線を巻回し、また、上記導線の両端に上記導電性線材を露出させて形成した接続端子を設けると共に、該接続端子の先端を導体接触部と成した巻線型インダクタであって、コアの巻線部に巻回された導線のコア小径側の先端部から上記導体接触部に至る迄の導線及び接続端子の長さが０．４mm〜０．６mmの範囲に設定されていることを特徴とする。
上記コアはフェライト等の磁性材料で構成することができる。
【考案の効果】
【０００９】
本考案に係る巻線型インダクタにあっては、コアの巻線部に巻回された導線のコア小径側の先端部から導体接触部に至る迄の導線及び接続端子の長さを０．４mm〜０．６mmの範囲に設定したことにより、高周波帯域において特性劣化を生じることのない巻線型インダクタを実現することができる。
【考案を実施するための最良の形態】
【００１０】
図１乃至図３に示すように、本考案に係る巻線型インダクタ10は、導電性線材としての銅線12（図２及び図３参照）の表面にポリエステル、ポリウレタン等の高分子絶縁材料より成る絶縁被膜14を形成した導線16を、誘電体セラミックや、フェライト等の磁性材料より成る円錐状のコア18の巻線部20外周面に巻回して成る。
【００１１】
また、導線16の両端には、上記絶縁被膜14を所定長さ剥離して銅線12を露出させることにより形成した接続端子22が設けられている。上記接続端子22の先端は、回路基板に形成された高周波信号を伝送するマイクロストリップラインを構成する導体パターン24にハンダ26を介して直接接続される導体接触部22ａと成されている。
本考案の巻線型インダクタ10にあっては、コア18の巻線部20に巻回された導線16のコア18小径側の先端部から導体接触部22ａに至る迄の導線16及び接続端子22の長さＬが０．４mm〜０．６mmの範囲に設定されている。また、接続端子22の導体接触部22ａの長さは、０．２mm程度と成されている。
尚、本考案の巻線型インダクタ10の寸法は、例えば、コア18の巻線部20の最大直径が１mm、長さが２mm、導線16の直径が０．０５mmと成される。
【００１２】
本考案の巻線型インダクタ10は、上記の通り、コア18の巻線部20が、その一端（図１の右端）から他端（図１の左端）に向かって徐々に直径が小さくなっていく円錐状と成されているので、該巻線部20に巻回された導線16の巻線径も、一端（図１の右端）から他端（図１の左端）に向かって徐々に小さくなっていく。
【００１３】
このように、本考案の巻線型インダクタ10においては、巻線部20に巻回された導線16の巻線径が、一端（図１の右端）から他端（図１の左端）に向かって徐々に小さくなっていくことから、図４のグラフに示す通り、広い周波数帯域に亘って連続的に多数の異なる自己共振周波数を持つこととなり、従って、単一の巻線型インダクタ10でありながら、広帯域において使用することができる。
【００１４】
而して、本考案の上記巻線型インダクタ10にあっては、コア18の巻線部20に巻回された導線16のコア18小径側の先端部から導体接触部22ａに至る迄の導線16及び接続端子22の長さＬを０．４mm〜０．６mmの範囲に設定したことにより、高周波帯域において特性劣化を生じることのない巻線型インダクタを実現することができる。
【００１５】
本考案者の行った実験結果を図５乃至図７に示す。図５は、導線16のコア18小径側の先端部から導体接触部22ａに至る迄の導線16及び接続端子22の長さＬが０．２mmの場合のアイソレーション特性を示すグラフ、図６は、導線16のコア18小径側の先端部から導体接触部22ａに至る迄の導線16及び接続端子22の長さＬが１．０mmの場合のアイソレーション特性を示すグラフ、図７は、導線16のコア18小径側の先端部から導体接触部22ａに至る迄の導線16及び接続端子22の長さＬが０．５mmの場合のアイソレーション特性を示すグラフである。
図５のグラフに示される通り、Ｌが０．２mmの場合には、周波数が１０数ＧＨｚを超えたあたりからアイソレーション特性が劣化し、−２０ｄＢを維持できなくなっている。また、図６のグラフに示される通り、Ｌが１．０mmの場合には、周波数が１０数ＧＨｚを超えたあたりからアイソレーション特性が劣化し、−２０ｄＢを維持できなくなっている。
これに対し、本考案の如く、Ｌを０．５mmとした場合には、図７のグラフに示される通り、周波数が４０ＧＨｚを超えても、−２０ｄＢ程度の良好なアイソレーション特性が得られる。
【００１６】
尚、コア18の巻線部20の形状は、上記した円錐状だけに限定されるものではなく、角錐状であっても良い。
【００１７】
上記コア18を、フェライト等の磁性材料で構成した場合には、透磁率が大きくなるため大きな挿入損失が得られ、アイソレーション特性等の周波数特性が向上する。
【図面の簡単な説明】
【００１８】
【図１】本考案に係る巻線型インダクタの正面図である。
【図２】図１のＣ−Ｃ拡大断面図である。
【図３】図１のＤ−Ｄ拡大断面図である。
【図４】本考案の巻線型インダクタのインピーダンス特性を示すグラフである。
【図５】導線のコア小径側の先端部から導体接触部に至る迄の導線及び接続端子の長さＬが０．２mmの場合のアイソレーション特性を示すグラフである。
【図６】導線のコア小径側の先端部から導体接触部に至る迄の導線及び接続端子の長さＬが１．０mmの場合のアイソレーション特性を示すグラフである。
【図７】導線のコア小径側の先端部から導体接触部に至る迄の導線及び接続端子の長さＬが０．５mmの場合のアイソレーション特性を示すグラフである。
【図８】従来の巻線型インダクタの正面図である。
【図９】図５のＡ−Ａ断面図である。
【図１０】図５のＢ−Ｂ断面図である。
【図１１】従来の巻線型インダクタのインピーダンス特性を示すグラフである。
【符号の説明】
【００１９】
10    巻線型インダクタ
12    銅線
14    絶縁被膜
16    導線
18    コア
20    巻線部
22    接続端子
22ａ 導体接触部
24    導体パターン
【図１】
0003122320.tif 000003
【図２】
0003122320.tif 000004
【図３】
0003122320.tif 000005
【図４】
0003122320.tif 000006
【図５】
0003122320.tif 000007
【図６】
0003122320.tif 000008
【図７】
0003122320.tif 000009
【図８】
0003122320.tif 000010
【図９】
0003122320.tif 000011
【図１０】
0003122320.tif 000012
【図１１】
0003122320.tif 000013